(57)【要約】      （修正有）【課題】手を使わずに靴下を装着でき、また、楽な姿勢で容易に靴下を履くことができる自動の靴下着用装置を提供する。【解決手段】靴下着用装置１は、靴下の開口部から該靴下内に挿入され、該靴下の開口部を開口した状態に保持して該靴下を装着する、互いに対向して設けられた一対のホルダー２と、該一対のホルダーを上下動させる上下動手段とよりなることを特徴とする。また、上記一対のホルダーを、該一対のホルダーが対向する方向を向く軸回りで回転させる回転手段とよりなることを特徴とする。また、記一対のホルダーを、互いに離接させる離接手段を有することを特徴とする。【選択図】図１
0003210683.tif 000002
【実用新案登録請求の範囲】
【請求項１】
靴下の開口部から該靴下内に挿入され、該靴下の開口部を開口した状態に保持して該靴下を装着する、互いに対向して設けられた一対のホルダーと、
該一対のホルダーを上下動させる上下動手段とよりなることを特徴とする靴下着用装置。
【請求項２】
靴下の開口部から該靴下内に挿入され、該靴下の開口部を開口した状態に保持して該靴下を装着する、互いに対向して設けられた一対のホルダーと、
該一対のホルダーを、該一対のホルダーが対向する方向を向く軸回りで回転させる回転手段とよりなることを特徴とする靴下着用装置。
【請求項３】
上記一対のホルダーを、該一対のホルダーが対向する方向を向く軸回りで回転させる回転手段とよりなることを特徴とする請求項１に記載の靴下着用装置。
【請求項４】
上記一対のホルダーに装着されると共に、人の足が着用された靴下が装着された上記一対のホルダーを、
上記一対のホルダーの対向する方向を向く軸回りで、上記靴下と上記下辺段部との係合が解除される所望の角度まで、回転手段により、上記一対のホルダーの後端部側が上昇する方向に回転させた後に、
上記一対のホルダーを上下動手段により、上記靴下が上記一対のホルダーから取り外せるまで、上昇させる制御手段を有することを特徴とする請求項３記載の靴下着用装置。
【請求項５】
上記上下動手段は、上下方向に延びる支柱部と、該支柱部の下端に固定されたベース部と、上記支柱部に沿って上下動する上下動台と、該上下動台を上下動させる上下スライド機構部とよりなり、
上記ベース部の上面には、足が該ベース部に載置されているか否かを検知する検知スイッチが設けられていることを特徴とする請求項１又は請求項３又は請求項４に記載の靴下着用装置。
【請求項６】
上記一対のホルダーを、互いに離接させる離接手段を有することを特徴とする請求項１又は請求項２又は請求項３又は請求項４又は請求項５に記載の靴下着用装置。
【請求項７】
上記一対のホルダーは、それぞれ長尺板状に形成され、少なくとも一つのホルダーの上辺の先端部には、上方に向かった突起部が形成されると共に、
少なくとも一つのホルダーの下辺の先端部には、下方に向かった突起部が形成されていることを特徴とする請求項１又は請求項２又は請求項３又は請求項４又は請求項５又は請求項６に記載の靴下着用装置。
【考案の詳細な説明】
【技術分野】
【０００１】
本考案は、靴下を足に着用できる自動の靴下着用装置に関するものである。
【背景技術】
【０００２】
靴下の着用を助ける装置としては、例えば、特許文献１のような、棒体を折り曲げて形成した靴下着用補助具がある。かかる靴下着用補助具は、広げられた先端部に、靴下の開口部を、拡開した状態で装着して、該靴下の開口部内に足を挿入しやすくしたものである。
【先行技術文献】
【特許文献】
【０００３】
【特許文献１】特開２００４−１０５２９２号公報
【考案の概要】
【考案が解決しようとする課題】
【０００４】
しかしながら、上記靴下着用補助具は、手で持って、該靴下着用補助具の先端部が足元に位置するように操作して、靴下を履く必要があるので、手を使う必要と、無理な姿勢で装着しなければならない。従って、腰痛や、手術後の患者や、要介護の高齢者等にとっては、上記靴下装着補助具を扱いづらく、靴下を装着できない場合があった。
【０００５】
本考案は、上記の欠点をなくすようにしたものである。
【課題を解決するための手段】
【０００６】
本考案の靴下着用装置は、靴下の開口部から該靴下内に挿入され、該靴下の開口部を開口した状態に保持して該靴下を装着する、互いに対向して設けられた一対のホルダーと、該一対のホルダーを上下動させる上下動手段とよりなることを特徴とする。
【０００７】
また、本考案の靴下着用装置は、靴下の開口部から該靴下内に挿入され、該靴下の開口部を開口した状態に保持して該靴下を装着する、互いに対向して設けられた一対のホルダーと、該一対のホルダーを、該一対のホルダーが対向する方向を向く軸回りで回転させる回転手段とよりなることを特徴とする。
【０００８】
また、上記一対のホルダーに装着されると共に、人の足が着用された靴下が装着された上記一対のホルダーを、上記一対のホルダーの対向する方向を向く軸回りで、上記靴下と上記下辺段部との係合が解除される所望の角度まで、回転手段により、上記一対のホルダーの後端部側が上昇する方向に回転させた後に、上記一対のホルダーを上下動手段により、上記靴下が上記一対のホルダーから取り外せるまで、上昇させる制御手段を有することを特徴とする。
【０００９】
また、上記上下動手段は、上下方向に延びる支柱部と、該支柱部の下端に固定されたベース部と、上記支柱部に沿って上下動する上下動台と、該上下動台を上下動させる上下スライド機構部とよりなり、上記ベース部の上面には、足が該ベース部に載置されているか否かを検知する検知スイッチが設けられていることを特徴とする。
【００１０】
また、上記一対のホルダーを、互いに離接させる離接手段を有することを特徴とする。
【００１１】
また、上記一対のホルダーは、それぞれ長尺板状に形成され、少なくとも一つのホルダーの上辺の先端部には、上方に向かった突起部が形成されると共に、少なくとも一つのホルダーの下辺の先端部には、下方に向かった突起部が形成されていることを特徴とする。
【考案の効果】
【００１２】
本考案によれば、手を使わずに靴下を装着でき、また、楽な姿勢で容易に靴下を履くことができるようになる。
【図面の簡単な説明】
【００１３】
【図１】本考案の靴下着用装置の一方の側から見た斜視図である。
【図２】本考案の靴下着用装置の構造を説明する一方の側から見た斜視図である。
【図３】本考案の靴下着用装置の構造を説明する他方が側から見た斜視図である。
【図４】本考案のホルダーの正面図である。
【図５】図４のＡ−Ａ線断面図である。
【図６】本考案のホルダーの斜視図である。
【図７】本考案の靴下着用装置の動作説明図である。
【図８】本考案の靴下着用装置の動作説明図である。
【図９】本考案の靴下着用装置の動作説明図である。
【図１０】本考案の靴下着用装置の動作説明図である。
【図１１】本考案の靴下着用装置の動作説明図である。
【図１２】本考案の靴下着用装置の動作説明図である。
【図１３】本考案の靴下着用装置の動作説明図である。
【図１４】本考案の靴下着用装置の動作説明図である。
【図１５】本考案の靴下着用装置の動作説明図である。
【図１６】本考案の靴下着用装置の動作説明図である。
【考案を実施するための形態】
【００１４】
以下図面によって本考案の実施例を説明する。
【実施例１】
【００１５】
（１）靴下着用装置の基本的構成の説明  
【００１６】
図１〜図３は、本考案の靴下着用装置１を示し、該靴下着用装置１は、靴下の開口部から該靴下内に挿入され、該靴下の開口部を開口した状態に保持して該靴下を装着する、互いに対向して設けられた一対のホルダー２、２と、該一対のホルダー２、２を上下動させる上下動手段と、該一対のホルダー２、２を、該一対のホルダーが対向する方向を向く軸回りで回転させる回転手段と、上記一対のホルダー２、２を互いに離接せさる離接手段とよりなる。
【００１７】
そして、上記上下動手段は、例えば、支柱部３と、該支柱部３を支持するベース部４と、上記支柱部３に沿って上下動する上下動台５と、該上下動台５を上下動させる上下スライド機構部６とよりなる。
【００１８】
また、上記回転手段は、例えば、上記上下動台５に設けた回転台７と、該回転台７を回転させる回転機構部８とよりなる。
【００１９】
また、上記離接手段は、例えば、上記一対のホルダー２、２を設けると共に、上記回転台７に固定したホルダー保持部９と、上記ホルダー保持部９に設けた、上記一対のホルダー２、２を互いに離接させる離接機構部１０とよりなる。
【００２０】
そして、上記上下スライド機構部６と上記回転機構部８と上記離接機構部１０とは、制御部１１によりそれぞれ制御される。
【００２１】
（１．１）各部の説明
【００２２】
上記支柱部３は、上下方向に延びる、所望の高さに形成された、例えば、中空の箱体からなり、該支柱部３の正面板３ａの中央部には、上下方向に延びる貫通孔１２が形成されている。
【００２３】
上記ベース部４は、上記支柱部３の下端に固定された、例えば、矩形状の板体からなり、該ベース部４が床面上等に載置されて、上記支柱部３を支えるように形成される。
【００２４】
なお、４ａは、上記ベース部４の上面に設けた、足がベース部４に載置されているか否かを検知する、例えば、押圧されたか否かを検知する検知スイッチを示し、該検知スイッチ４ａは、上記制御部１１に接続されている。
【００２５】
そして、後述するように、該検知スイッチ４ａの検知により、上記制御部１１は、例えば、靴下に足が入れ終えたことを識別し、また、足がベース部４に載せていることを識別し、また、靴下からホルダーを抜き取る時に、足がベース部から浮き上がらないことを識別する。
【００２６】
上記上下動台５は、上記支柱部３内に設けられ、例えば、上記支柱部３内に設けられた上下方向に延びるレール２７にガイドされて、後述する上下スライド機構部６により、上記支柱部３に沿って上下動するように形成される。
【００２７】
上記スライド機構部６は、上記支柱部３内に設けられ、例えば、上記支柱部３内の上下にそれぞれ設けられた一対のスプロケット１３、１４と、該スプロケット１３、１４間に巻回されたチェーン１５と、上記スプロケット１３を回転駆動する駆動モータ１６とよりなり、上記上下動台５は、上記チェーン１５に固定され、該チェーン１５が上下動するのに応じて、上記上下動台５が、上記レール２７に沿って上下方向に移動するように形成される。
【００２８】
上記回転台７は、上記支柱部３内の上下動台５の正面に設けた、例えば、板体よりなり、該回転板７は、上記上下動台５に固定した回転機構部８により回転するように形成される。
【００２９】
上記ホルダー保持部９は、上記支柱部３の正面に、上記支柱部３の正面板３ａから若干離間して設けられ、該ホルダー保持部９は、例えば、中空の箱状に形成され、該ホルダー保持部９の背面板９ａは、上記支柱部３の正面板３ａの貫通孔１２を貫通して、上記支柱部３内から外に突出した、上記回転台７の回転軸７ａに固定されている。
【００３０】
そして、該ホルダー保持部９は、上記上下動台５の上下動に従って上下動し、また、上記回転台７の回転に従って回転するように形成される。
【００３１】
上記一対のホルダー２、２は、靴下が装着（挿入）できるよう、例えば、それぞれ長尺状の板状に形成されると共に、各面が互いに対向するように設けられる。また、上記一対のホルダー２、２は、上記ホルダー保持部９に固定した離接機構部１０により、互いに離接するように設けられる。
【００３２】
また、上記各ホルダー２は、それぞれ、例えば、図４〜図６に示すように、矩形状に形成された、左右方向に延びる長尺板状の靴下挿入板部１７と、該靴下挿入板部１７の後端部に連設した、上方に延びる矩形板状の突設板部１８と、該突設板部１８の上端に連設した、上記靴下挿入板部１７に平行して延びる、上記離接機構部１０に固定される長尺状の接続板部１９とよりなる。
【００３３】
なお、上記靴下挿入板部１７の上辺１７ａと、上記接続板部１９の下辺１９ａとは、上記靴下挿入板部１７に靴下を装着できるだけの距離離間して形成される。
【００３４】
また、上記靴下挿入板部１７の上辺１７ａの先端部には、上方に向かった山状に形成された突起部２０が形成されると共に、下辺１７ｂの先端部には、下方に向かった山状に形成された突起部２１とが形成される。また、上記下辺１７ｂの後方部には、後方側が上方に立ち上がる下辺段部２５が形成されると共に、上記靴下挿入板部１７の後端部には、該下辺１７ｂよりも下方に延びる矩形板状の係止片２６が設けられている。なお、上記下辺段部２５は、上記突設板部１８の前端角部１８ａよりも後方に設けられている。また、上記長尺板状の靴下挿入板部１７は、互いに対向する側の面が凹状となるように円弧状に湾曲して形成されている。
【００３５】
そして、靴下を上記靴下挿入板部１７に、該靴下のかかとが上記下辺段部２５に係合するまで装着することにより、上記靴下の上記一対のホルダー２、２への装着が確実になる。
【００３６】
また、靴下の開口部が上記係止片２６で係止されるようにし、該靴下が上記靴下挿入板部１７の後端部の背面側まで廻り込んで装着されないようにして、該靴下の開口部の開口を確保するようにしている。
【００３７】
また、上記靴下挿入板部１７に長い靴下を装着した場合、該靴下の開口部は、上記突設板部１８と上記係止片２６にあたり、該靴下の開口部側の部分が蛇腹状に折り畳まれて装着されるが、後述するように、上記靴下に足を挿入し、該靴下から上記靴下挿入板１７を抜き取る際、上記折り畳まれた部分が、上記上下の突起部２０、２１によって、引き伸ばされて、上記靴下を足の上部までたくし上げることができるようなる。
【００３８】
また、上記靴下挿入板部１７が湾曲し、該一対の靴下挿入板部１７、１７が、足（靴下）の形状に近い形状となっているので、上記一対の靴下挿入板部１７、１７に靴下を装着しやすく、また、上記靴下挿入板部１７間に足を入れやすくなる。
【００３９】
制御部１１は、例えば、上記支柱部３の上面板に設けたボタン部（操作部）２２により起動されるようにする。なお、ボタン部は、リモコンなどとして、上記靴下着用装置１と別体の装置であってもよい。
【００４０】
また、上記制御部１１は、上記一対のホルダー２、２を、後述する靴下装着セット位置に移動させるための第１の制御部と、上記一対のホルダー２，２を、上述する靴下着用位置に移動させる第２の制御部と、後述する足が着用された靴下が装着された一対のホルダー２、２から、上記靴下を取り外すための第３の制御部とよりなる。
【００４１】
また、上記第３の制御部は、例えば、上記一対のホルダー２、２に装着されると共に、人の足が着用された靴下が装着された上記一対のホルダー２、２を、上記一対のホルダー２、２の対向する方向を向く軸回りで、上記下辺段部との係合が解除される所望の角度まで上記回転手段により、上記一対のホルダー２、２の後端部側が上昇する方向に回転させた後に、上記一対のホルダー２、２を上記上下動手段により、上記靴下が上記一対のホルダーから取り外せるまで、上昇させる制御手段よりなる。
【００４２】
（２）靴下装着装置の動作説明
【００４３】
次に、靴下着用装置の動作を説明する。
【００４４】
（２．１）始動開始前位置（初期位置）
【００４５】
上記一対のホルダー２、２の初期位置は、特に、特定されることはないが、例えば、図７に示すように、靴下着用装置１の載置が安定して載置されるよう、上記一対のホルダー２、２を最下部に位置させる。
【００４６】
なお、上記一対のホルダー２、２が最下部に位置するとは、上記一対のホルダー２、２の下端が、上記ベース板４に接する位置、或いは、上記ベース部４より若干上方の位置を意味し、例えば、図４に示すように、上記一対のホルダー２、２の長手方向の軸線Ｌが、水平に対して傾斜し、上記一対のホルダー２、２の先端部２ａ（爪先側）が下方にある場合には、該傾斜したホルダー２、２の先端部２ａの下端が、上記ベース板３に接する位置、或いは、若干上方に位置するようになる。
【００４７】
また、上記一対のホルダー２、２は、例えば、上記離接機構部１０により、上記一対のホルダー２、２に、靴下を装着しやすい所望の間隔まで接近、または接触した位置となるように設けられる。
【００４８】
（２．２）靴下装着セット位置への移動
【００４９】
例えば、靴下着用装置１の一方の側面側（例えば、図において右側）に、椅子に座った、これから靴下を着用しようとする人が位置し、該人は、上記一対のホルダー２、２を靴下装着セット位置に移動させるために、制御部１１の第１の制御部を起動させるための上記ボタン部２２を押すなどのボタン操作を行う。
【００５０】
なお、上記靴下装着セット位置とは、上記一対のホルダー２、２が、図９に示すように、所望の高さ、例えば、椅子に座った人が上記一対のホルダー２、２に靴下を装着しやすいような上方の位置であり、かつ、該一対のホルダー２、２の先端部２ａ（爪先側）が、上記靴下着用装置１の上記一方の側面側を向き、かつ、上記一対のホルダー２、２が、靴下を装着しやすい所望の間隔まで接近、または接触した位置をいう。
【００５１】
従って、上記ボタン操作を行うことにより、上記制御部１１の第１の制御部が起動し、例えば、まず、上記上下スライド機構部６が駆動して、上記初期位置にある一対のホルダー２、２が、図８に示すように、例えば、椅子に座った人が靴下を上記ホルダー２に装着しやすい第１の所望の高さまで上昇し、そして、次に、図９に示すように、上記回転機構部８が駆動して、上記一対のホルダー２，２が、該一対のホルダー２、２の先端部（爪先側）が、上記靴下着用装置１の上記一方の側面側を向くまで、上記回転軸７ａ回りで回転し、即ち、上記一対のホルダー２、２が対向する方向を向く軸回りで回転し、そして停止するようになる。
【００５２】
なお、上記一対のホルダー２、２は、上記一対のホルダー２、２の軸線Ｌが、例えば、水平方向となる位置まで回転して停止する。
【００５３】
なお、上記例においては、初期位置において、上記一対のホルダー２、２間が、上記所望の間隔まで接近、又は接触した位置であるため、上記離接機構部１０は駆動しないが、初期位置において、上記所望の位置まで接近又は、接触していない場合には、上記離接機構部１０により、所望の距離まで接近、又は接触するようにする。
【００５４】
また、上記一対のホルダー２、２は、上昇中において、回転し、また、ホルダー間の間隔を上記所望の距離まで接近、又は接触するようにしてもよい。
【００５５】
また、上記一対のホルダー２、２の始動開始前位置（初期位置）を、最初から、上記靴下装着セット位置に位置するようにしてもよい。この場合には、上記靴下装着セット位置への移動のためのボタン操作は不要となる。
【００５６】
（２．３）靴下の装着
【００５７】
上記一対のホルダー２、２が上記靴下装着セット位置に位置した後、図１０に示すように、例えば、椅子に座った人が、一方の靴下２３を上記一対のホルダー２、２に、先端部２ａ側から装着するようにする。
【００５８】
上記一対のホルダー２、２の各先端部２ａは、椅子に座った人側を向いているので、椅子に座ったまま、無理な体勢とならずに、上記靴下２３を上記一対のホルダー２、２に装着できるようになる。
【００５９】
なお、図１０に示すように、上記靴下のかかとが上記下辺段部２５に係合するまで装着すると共に、靴下２３の開口部２３ａが、上記一対のホルダー２、２の上記突設板部１８と上記係合片２６にまで装着するようにする。この際、上記靴下が長い場合には、該靴下の開口部側の部分２３ｂは、蛇腹状に折り畳まれて装着されるようになる。
【００６０】
（２．４）靴下着用位置へ移動
【００６１】
上記一対のホルダー２、２に上記靴下２３を装着した後、上記人は、上記一対のホルダー２、２を靴下着用位置に移動させるために、上記制御部１１の第２の制御部を起動させるための上記ボタン部２２を押すなどのボタン操作を行う。
【００６２】
なお、上記第２の制御部を起動させるボタン部と、上記第１の制御部を起動させるボタン部が同じであっても、異なるボタン部としてもよい。同じボタンの場合は、例えば、１回目のボタン操作が、第１の制御部を起動し、２回目のボタン操作が第２の制御部を起動するようにする。
【００６３】
なお、上記靴下着用位置とは、上記一対のホルダー２、２が、図１２に示すように、所望の高さ、例えば、上記人が靴下を着用しやすい最下部の位置であり、かつ、該一対のホルダー２、２の先端部２ａが、上記靴下着用装置１の他方の側面側を向き、即ち、上記一対のホルダー２、２の後端部２ｂが、上記靴下着用装置１の一方の側面側を向き、かつ、上記一対のホルダー２、２間が、靴下を挿入しやすいよう所望の距離離間した位置をいう。
【００６４】
従って、上記ボタン操作を行うことにより、上記制御部１１の第２の制御部により、例えば、上記上下スライド機構部６が駆動して、図１１に示すように、上記一対のホルダー２、２が、支柱部３の最下部まで下降し、次に、図１２に示すように、上記回転機構部８が駆動して、上記一対のホルダー２、２の先端部２ａが、靴下着用装置１の他方の側面側を向くまで（即ち、ホルダー２の後端部２ｂが一方の側面側を向くまで）、上記回転軸７ａ回りで回転し、そして停止し、次に、図１３に示すように、上記一対のホルダー２、２が互いに、靴下に足が入れやすくなる所望の距離まで離間して停止する。
【００６５】
なお、上記一対のホルダー２、２は、先端部２ａが下方を向く方向に傾斜すると共に、上記ホルダー２、２の長手方向の軸線Ｌが、水平面に対して、例えば、３０度程度傾斜した位置まで傾動するようにする。これにより、靴下に足を挿入しやすくなる。
【００６６】
また、上記一対のホルダー２、２の上記所望の距離は、靴下の大きさにより、各種設定することも可能である。
【００６７】
（２．５）足の靴下への挿入
【００６８】
そして、図１４に示すように、上記靴下２３の開口部から、一方の足２４を挿入し、そして、該足２４を上記ベース部４上に載置するまで、該足２４を上記靴下２３に挿入する。
【００６９】
これにより、上記検知スイッチ４ａが、上記足２４の載置を検知して、上記制御部１１は、上記靴下２３に上記足２４が入れ終えたことを識別するようになる。
【００７０】
（２．６）靴下からの取外し
【００７１】
足の挿入後、上記人は、上記靴下２３から上記一対のホルダー２、２を取り外すために、上記制御部１１の第３の制御部を起動させるための上記ボタン部２２を押すなどのボタン操作を行う。
【００７２】
なお、上記第３の制御部を起動させるボタン部と、上記第１、第２の制御部を起動させるボタン部が同じであっても、異なるボタン部としてもよい。同じボタンの場合は、例えば、１回目のボタン操作が、第１の制御部を起動し、２回目のボタン操作が第２の制御部を起動し、３回目のボタン操作が第３の制御部を起動するようにする。
【００７３】
上記ボタン操作をすれば、上記制御部１１の第３の制御部により、例えば、まず、回転機構部８が駆動して、上記一対のホルダー２、２が、その後端部２ｂが上側に移動する方向に、所望の角度、例えば、約１０度程度回転させる。
【００７４】
そして、次に、上記上下スライド機構部６により、上記一対のホルダー２、２を上昇させる。
【００７５】
なお、上記一対のホルダー２、２が上昇する際に、該一対のホルダー２、２を、該ホルダーの後端部２ｂ側が上側に移動する方向に、若干回転させることにより、より上記靴下２３を上記一対のホルダー２、２から取り外しやすくなる。
【００７６】
これにより、図１５に示すように、まず、上記下辺段部２５と靴下２３のかかととの係合が解除され、そして、図１６に示すように、上記一対のホルダー２、２が所望の位置まで上昇することにより、上記靴下の折り畳まれた部分２３ｂが、上記上下の突起部２０、２１によって、引き伸ばされて、上記靴下２３を足の上部までたくし上げることができるようなると共に、上記靴下２３を上記一対のホルダー２、２から無理なく取り外すことができる。
【００７７】
また、上記一対のホルダー２、２は、若干回転した後、上方に移動するので、足首の形状に沿って移動することになり、足への負担軽減と、安全性を図ることができる。
【００７８】
なお、上記ボタン操作を行う際、上記検知スイッチ４ａが、上記足２４が上記ベース部４に載せていないことを検知している時は、上記制御部１１は、上記ボタン操作を行っても、上記一対のホルダー２、２を動かさないようにする。
【００７９】
また、上記ボタン操作の後、上記一対のホルダー２、２が動いている時に、上記検知スイッチ４ａが、上記足２４が上記ベース部４に載せていないことを検知した時は、上記一対のホルダー２、２を停止するようにする。
【００８０】
これにより、ベース部から足が浮き上がらないようにして、安全性を確保すると共に、上記一対のホルダー２、２が、足首の形に沿って移動できるようにして、足への負担軽減とともに、確実に、足に靴下を着用できるようにする。
【００８１】
（２．７）他方の靴下を装着するための靴下装着セット位置への移動
【００８２】
次に、他方の靴下を着用するために、上記人は、上記制御部１１の第１の制御部を起動するための上記ボタン部２２を押すなどのボタン操作を行う。
【００８３】
なお、上記ボタン部が同じ場合は、例えば、４回目のボタン操作を行うことにより、上記第１の制御部を起動するようにする。
【００８４】
そして、上記ボタン操作により、図９に示すように、上記一対のホルダー２、２は上記靴下装着セット位置に移動するようにするようになり、その後は、一方の靴下を着用するのと同様の操作を行うようにする。
【００８５】
（３）効果
【００８６】
本考案によれば、手を使わずに、短時間で靴下を装着でき、また、楽な姿勢で靴下を履くことができるようになる。
【００８７】
また、手元のスイッチで、操作できるので、楽に靴下を履くことができるようになる。
【００８８】
また、一対のホルダー２、２に靴下を装着する際、該一対のホルダー２、２は、所望の距離接近、又は接触しているので、上記一対のホルダー２，２に靴下を装着しやすく、そして、靴下に足を挿入する時は、所望の距離まで離間するので、靴下が履きやすい。
【００８９】
また、上記ホルダー２、２の上下の突起部２０、２１により、長い靴下であっても、足の上部までたくし上げることができるようなる。
【符号の説明】
【００９０】
１    靴下着用装置
２    ホルダー
２ａ  先端部
２ｂ  後端部
３    支柱部
３ａ  正面板
４    ベース部
４ａ  検知スイッチ
５    上下動台
６    上下スライド機構部
７    回転台
７ａ  回転軸
８    回転機構部
９    ホルダー保持部
９ａ  背面板
１０    離接機構部
１１    制御部
１２    貫通孔
１３    スプロケット
１４    スプロケット
１５    チェーン
１６    駆動モータ
１７    靴下挿入板部
１７ａ  上辺
１７ｂ  下辺
１８    突設板部
１８ａ  前端角部
１９    接続板部
１９ａ  下辺
２０    突起部
２１    突起部
２２    ボタン部
２３    靴下
２３ａ  開口部
２３ｂ  開口部側の部分
２４    足
２５    下辺段部
２６    係止片
２７    レール
【図１】
0003210683.tif 000003
【図２】
0003210683.tif 000004
【図３】
0003210683.tif 000005
【図４】
0003210683.tif 000006
【図５】
0003210683.tif 000007
【図６】
0003210683.tif 000008
【図７】
0003210683.tif 000009
【図８】
0003210683.tif 000010
【図９】
0003210683.tif 000011
【図１０】
0003210683.tif 000012
【図１１】
0003210683.tif 000013
【図１２】
0003210683.tif 000014
【図１３】
0003210683.tif 000015
【図１４】
0003210683.tif 000016
【図１５】
0003210683.tif 000017
【図１６】
0003210683.tif 000018